(57)【要約】【課題】基地局１と携帯端末２との間の通信の品質を推定する。【解決手段】複数の携帯端末２において測定された通信試行単位のスループットの統計値を含む端末統計情報を生成するステップ（Ｓ１）と、複数の第１測定期間に基地局１が複数の携帯端末２から受信したデータの量と、複数の第１測定期間にデータを送信した携帯端末２の台数とに基づいて、携帯端末２の１台あたりのスループットである基地局スループットの統計値を含む第１基地局統計情報を生成するステップ（Ｓ２）と、第１基地局統計情報と端末統計情報とに基づいて、複数の第１測定期間内の基地局１における通信試行単位のスループットの統計値を含む第１推定統計情報を生成するステップ（Ｓ３）と、を備える。【選択図】図３
2014195191.tif 000002
【特許請求の範囲】
【請求項１】
基地局と、前記基地局と通信可能な複数の携帯端末とを備える無線通信システムにおける通信品質を推定するための通信品質推定方法であって、
複数の携帯端末において測定された通信試行単位のスループットの統計値を含む端末統計情報を生成するステップと、
複数の第１測定期間に前記基地局が前記複数の携帯端末から受信したデータの量と、前記複数の第１測定期間に前記データを送信した前記携帯端末の台数とに基づいて、携帯端末１台あたりのスループットである第１基地局スループットの統計値を含む第１基地局統計情報を生成するステップと、
前記第１基地局統計情報と前記端末統計情報とに基づいて、前記複数の第１測定期間内の前記基地局における通信試行単位のスループットの統計値を含む第１推定統計情報を生成するステップと、
を備える通信品質推定方法。
【請求項２】
前記端末統計情報を生成するステップは、
前記複数の携帯端末から、通信試行単位のスループットの実測値と、それぞれの携帯端末の位置を示す位置情報とを受信するステップと、
前記位置情報に対応する位置が属するエリアごとに、前記実測値の平均と分散とを算出するステップと、
前記平均と前記分散との関係を示す関係情報を生成するステップと、
を有し、
前記第１推定統計情報を生成するステップにおいて、前記第１基地局統計情報と前記関係情報に基づいて前記第１推定統計情報を生成する、
請求項１に記載の通信品質推定方法。
【請求項３】
前記第１推定統計情報を生成するステップは、
前記第１基地局スループットの平均値と前記関係情報とに基づいて、複数の統計分布情報を生成するステップと、
前記複数の第１測定期間において前記平均値が発生した確率に基づいて前記複数の統計分布情報のそれぞれを重み付けすることで複数の重み付け統計情報を生成するステップと、
前記複数の重み付け統計情報のそれぞれを加算することで、前記第１推定統計情報を生成するステップと、
を有する、
請求項２に記載の通信品質推定方法。
【請求項４】
前記第１推定統計情報を生成するステップの後に、
複数の第２測定期間に前記基地局が前記複数の携帯端末から受信したデータの量と、前記複数の第２測定期間に前記データを送信した前記携帯端末の台数とに基づいて、携帯端末１台あたりのスループットである第２基地局スループットの統計値を含む第２基地局統計情報を生成するステップと、
前記第２基地局統計情報と前記端末統計情報とに基づいて、前記複数の第２測定期間内の前記基地局における通信試行単位のスループットの統計値を含む第２推定統計情報を生成するステップと、
前記第２推定統計情報と、前記端末統計情報に含まれる統計値と前記第１推定統計情報に含まれる統計値との差分を示す差分情報とに基づいて、前記複数の第２測定期間内の前記携帯端末における通信試行単位のスループットの統計値を含む第３推定統計情報を生成するステップと、
をさらに備える、
請求項１から３のいずれか１項に記載の通信品質推定方法。
【請求項５】
前記第３推定統計情報を生成するステップは、
前記第１推定統計情報に含まれる通信試行単位のスループットの最頻値又は平均値に対する、前記端末統計情報に含まれる通信試行単位のスループットの最頻値又は平均値の減少率を算出するステップと、
前記第２推定統計情報と前記減少率とに基づいて、前記複数の第２測定期間の前記携帯端末における通信試行単位のスループットの最頻値又は平均値を算出するステップと、
を有する、
請求項４に記載の通信品質推定方法。
【請求項６】
前記第３推定統計情報を生成するステップは、
前記第１推定統計情報に含まれる通信試行単位のスループットの分散又は標準偏差に対する、前記端末統計情報に含まれる通信試行単位のスループットの分散又は標準偏差の減少率を算出するステップと、
前記第２推定統計情報と前記減少率とに基づいて、前記複数の第２測定期間の前記携帯端末における通信試行単位のスループットの分散又は標準偏差を算出するステップと、
を有する、
請求項４又は５に記載の通信品質推定方法。
【請求項７】
前記第３推定統計情報を生成するステップの後に、
前記第３推定統計情報が示す、前記携帯端末における通信試行単位のスループットの良否を判定する基準を示す判定基準情報を取得するステップと、
前記判定基準情報に基づいて、前記第３推定統計情報が示す、前記携帯端末における通信試行単位のスループットの良否を判定するステップと、
前記第３推定統計情報の良否の判定結果に応じて、前記第３推定統計情報の推定に用いられた前記第２推定統計情報が示す、前記基地局における通信試行単位のスループットの良否を判定するステップと、
前記第２推定統計情報に関連付けて、通信品質の良否を示す通信品質判定基準を記憶部に記憶させるステップと、
前記通信品質判定基準に基づいて、前記基地局と前記携帯端末との間の通信品質の良否を判定するステップと、
をさらに備える、
請求項４から６のいずれか１項に記載の通信品質推定方法。
【請求項８】
前記第３推定統計情報を生成するステップの後に、
前記第３推定統計情報が示す、前記携帯端末における通信試行単位のスループットの良否を判定する基準を示す判定基準情報を取得するステップと、
前記判定基準情報に基づいて、前記第３推定統計情報が示す、前記携帯端末における通信試行単位のスループットの良否を判定するステップと、
前記第３推定統計情報の良否の判定結果に応じて、前記第３推定統計情報に対応する前記第２基地局統計情報及び前記第２基地局スループットのいずれかの良否を判定するステップと、
前記第２基地局統計情報及び前記第２基地局スループットのいずれかに関連付けて、通信品質の良否を示す通信品質判定基準を記憶部に記憶させるステップと、
前記通信品質判定基準に基づいて、前記基地局と前記携帯端末との間の通信品質の良否を判定するステップと、
をさらに備える、
請求項４から６のいずれか１項に記載の通信品質推定方法。
【請求項９】
基地局と、前記基地局と通信可能な複数の携帯端末とを備える無線通信システムにおける通信品質を推定するための通信品質推定用プログラムであって、
コンピュータに、
複数の携帯端末において測定された通信試行単位のスループットの統計値を含む端末統計情報を生成するステップと、
複数の第１測定期間に前記基地局が前記複数の携帯端末から受信したデータの量と、前記複数の第１測定期間に前記データを送信した前記携帯端末の台数とに基づいて、携帯端末１台あたりのスループットである第１基地局スループットの統計値を含む第１基地局統計情報を生成するステップと、
前記第１基地局統計情報と前記端末統計情報とに基づいて、前記複数の第１測定期間内の前記基地局における通信試行単位のスループットの統計値を含む第１推定統計情報を生成するステップと、
を実行させるための通信品質推定用プログラム。
【請求項１０】
前記コンピュータに、
前記第１推定統計情報を生成するステップの後に、
複数の第２測定期間に前記基地局が前記複数の携帯端末から受信したデータの量と、前記複数の第２測定期間に前記データを送信した前記携帯端末の台数とに基づいて、携帯端末１台あたりのスループットである第２基地局スループットの統計値を含む第２基地局統計情報を生成するステップと、
前記第２基地局統計情報と前記端末統計情報とに基づいて、前記複数の第２測定期間内の前記基地局における通信試行単位のスループットの統計値を含む第２推定統計情報を生成するステップと、
前記第２推定統計情報と、前記端末統計情報と前記第１推定統計情報との差分を示す差分情報とに基づいて、前記複数の第２測定期間内の前記携帯端末における通信試行単位のスループットの統計値を含む第３推定統計情報を生成するステップと、
前記第１推定統計情報、前記第２推定統計情報及び前記第３推定統計情報の少なくともいずれかに含まれる統計値を表示するステップと、
をさらに実行させるための、
請求項９に記載の通信品質推定用プログラム。
【請求項１１】
基地局と、前記基地局と通信可能な複数の携帯端末とを備える無線通信システムにおける通信品質を推定する通信品質推定装置であって、
前記複数の携帯端末において測定された通信試行単位のスループットの統計値を含む端末統計情報を生成する第１生成部と、
複数の第１測定期間に前記基地局が前記複数の携帯端末から受信したデータの量と、前記複数の第１測定期間に前記データを送信した前記携帯端末の台数とに基づいて、携帯端末１台あたりのスループットである第１基地局スループットの統計値を含む第１基地局統計情報を生成する第２生成部と、
前記第１基地局統計情報と前記端末統計情報とに基づいて、前記複数の第１測定期間内の前記基地局における通信試行単位のスループットの統計値を含む第１推定統計情報を生成する第３生成部と、
を備える通信品質推定装置。
【請求項１２】
複数の第２測定期間に前記基地局が前記複数の携帯端末から受信したデータの量と、前記複数の第２測定期間に前記データを送信した前記携帯端末の台数とに基づいて、携帯端末１台あたりのスループットである第２基地局スループットの統計値を含む第２基地局統計情報を算出する第４生成部と、
前記第２基地局統計情報と前記端末統計情報とに基づいて、前記複数の第２測定期間内の前記基地局における通信試行単位のスループットの統計値を含む第２推定統計情報を生成する第５生成部と、
前記第２推定統計情報と、前記端末統計情報と前記第１推定統計情報との差分を示す差分情報とに基づいて、前記複数の第２測定期間内の前記携帯端末における通信試行単位のスループットの統計値を含む第３推定統計情報を生成する第６生成部と、
をさらに備える、
請求項１１に記載の通信品質推定装置。
【請求項１３】
基地局と、前記基地局と通信可能な複数の携帯端末と、前記基地局と前記複数の携帯端末との間の通信の品質を推定する通信品質推定装置を備える無線通信システムであって、
前記複数の携帯端末において測定された通信試行単位のスループットの統計値を含む端末統計情報を生成する第１生成部と、
複数の第１測定期間に前記基地局が前記複数の携帯端末から受信したデータの量と、前記複数の第１測定期間に前記データを送信した前記携帯端末の台数とに基づいて、携帯端末１台あたりのスループットである第１基地局スループットの統計値を含む第１基地局統計情報を生成する第２生成部と、
前記第１基地局統計情報と前記端末統計情報とに基づいて、前記複数の第１測定期間内の前記基地局における通信試行単位のスループットの統計値を含む第１推定統計情報を生成する第３生成部と、
前記端末統計情報及び前記第１推定統計情報を記憶する記憶部と、
を備える無線通信システム。
【請求項１４】
複数の第２測定期間に前記基地局が前記複数の携帯端末から受信したデータの量と、前記複数の第２測定期間に前記データを送信した前記携帯端末の台数とに基づいて、携帯端末１台あたりのスループットである第２基地局スループットの統計値を含む第２基地局統計情報を算出する第４生成部と、
前記第２基地局統計情報と前記端末統計情報とに基づいて、前記複数の第２測定期間内の前記基地局における通信試行単位のスループットの統計値を含む第２推定統計情報を生成する第５生成部と、
前記第２推定統計情報と、前記端末統計情報と前記第１推定統計情報との差分を示す差分情報とに基づいて、前記複数の第２測定期間内の前記携帯端末における通信試行単位のスループットの統計値を含む第３推定統計情報を生成する第６生成部と、
をさらに備える、
請求項１３に記載の無線通信システム。
【発明の詳細な説明】
【技術分野】
【０００１】
本発明は、携帯端末と基地局との間の通信品質の推定に係る通信品質推定方法、通信品質推定装置、通信品質推定用プログラム及び無線通信システムに関する。
【背景技術】
【０００２】
従来、無線通信システムにおける携帯端末と基地局との間の通信品質を向上するために、それぞれの携帯端末における通信品質の測定結果を基地局に送信し、基地局が、測定結果に基づいて携帯端末との間のデータ送受信を制御する方法が知られている（例えば、特許文献１を参照）。
【０００３】
また、ＯＦＤＭＡ方式を用いた無線通信システムにおいて、基地局が、サブフレームごとに携帯端末から収集したチャネル品質情報を平滑化して品質を推定することで、一時的な品質の変動の影響を低減させて無線チャネルのスケジューリングを行う方法も知られている（例えば、特許文献２を参照）。
【先行技術文献】
【特許文献】
【０００４】
【特許文献１】特開２００３−３１８８６１号公報
【特許文献２】特開２０１２−１２４５８５号公報
【発明の概要】
【発明が解決しようとする課題】
【０００５】
特許文献１に記載の方法によれば、それぞれの携帯端末における通信品質の測定結果が基地局に送信される。ところが、それぞれの携帯端末が測定結果を基地局に送信すると、測定結果を送信するために無線チャネルが使用されてしまい、携帯端末が使用できる無線チャネルが減少するので、他の携帯端末の通信品質の劣化を招いてしまうという問題がある。
【０００６】
特許文献２に記載の方法によれば、サブフレームごとに携帯端末からチャネル品質情報を受信するので、基地局は、頻繁にチャネル品質情報を集計する必要がある。したがって、当該方法においては、基地局における処理の負荷が大きいという問題がある。特に、１台の基地局に収容される携帯端末の数が増えると、多数の携帯端末からチャネル品質情報を受信する基地局の負荷が増大してしまう。
【０００７】
そこで、本発明はこれらの課題を解決するためになされたものであり、無線チャネルを過剰に使用したり基地局に過大な負荷をかけたりすることなく、携帯端末と基地局との間の通信の品質を推定できるようにすることを目的とする。
【課題を解決するための手段】
【０００８】
本発明の第１の態様に係る通信品質推定方法は、複数の携帯端末において測定された通信試行単位のスループットの統計値を含む端末統計情報を生成するステップと、複数の第１測定期間に前記基地局が前記複数の携帯端末から受信したデータの量と、前記複数の第１測定期間に前記データを送信した前記携帯端末の台数とに基づいて、携帯端末１台あたりのスループットである第１基地局スループットの統計値を含む第１基地局統計情報を生成するステップと、前記第１基地局統計情報と前記端末統計情報とに基づいて、前記複数の第１測定期間内の前記基地局における通信試行単位のスループットの統計値を含む第１推定統計情報を生成するステップと、を備える。
【０００９】
前記端末統計情報を生成するステップは、例えば、前記複数の携帯端末から、通信試行単位のスループットの実測値と、それぞれの携帯端末の位置を示す位置情報とを受信するステップと、前記位置情報に対応する位置が属するエリアごとに、前記実測値の平均と分散とを算出するステップと、前記平均と前記分散との関係を示す関係情報を生成するステップと、を有し、前記第１推定統計情報を生成するステップにおいて、前記第１基地局統計情報と前記関係情報に基づいて前記第１推定統計情報を生成する。
【００１０】
前記第１推定統計情報を生成するステップは、前記第１基地局スループットの平均値と前記関係情報とに基づいて、複数の統計分布情報を生成するステップと、前記複数の第１測定期間において前記平均値が発生した確率に基づいて前記複数の統計分布情報のそれぞれを重み付けすることで複数の重み付け統計情報を生成するステップと、前記複数の重み付け統計情報のそれぞれを加算することで、前記第１推定統計情報を生成するステップと、を有してもよい。
【００１１】
上記の通信品質推定方法は、前記第１推定統計情報を生成するステップの後に、複数の第２測定期間に前記基地局が前記複数の携帯端末から受信したデータの量と、前記複数の第２測定期間に前記データを送信した前記携帯端末の台数とに基づいて、携帯端末１台あたりのスループットである第２基地局スループットの統計値を含む第２基地局統計情報を生成するステップと、前記第２基地局統計情報と前記端末統計情報とに基づいて、前記複数の第２測定期間内の前記基地局における通信試行単位のスループットの統計値を含む第２推定統計情報を生成するステップと、前記第２推定統計情報と、前記端末統計情報に含まれる統計値と前記第１推定統計情報に含まれる統計値との差分を示す差分情報とに基づいて、前記複数の第２測定期間内の前記携帯端末における通信試行単位のスループットの統計値を含む第３推定統計情報を生成するステップと、をさらに備えてもよい。
【００１２】
前記第３推定統計情報を生成するステップは、例えば、前記第１推定統計情報に含まれる通信試行単位のスループットの最頻値又は平均値に対する、前記端末統計情報に含まれる通信試行単位のスループットの最頻値又は平均値の減少率を算出するステップと、前記第２推定統計情報と前記減少率とに基づいて、前記複数の第２測定期間の前記携帯端末における通信試行単位のスループットの最頻値又は平均値を算出するステップと、を有する。
【００１３】
前記第３推定統計情報を生成するステップは、前記第１推定統計情報に含まれる通信試行単位のスループットの分散又は標準偏差に対する、前記端末統計情報に含まれる通信試行単位のスループットの分散又は標準偏差の減少率を算出するステップと、前記第２推定統計情報と前記減少率とに基づいて、前記複数の第２測定期間の前記携帯端末における通信試行単位のスループットの分散又は標準偏差を算出するステップと、を有してもよい。
【００１４】
上記の通信品質推定方法は、前記第３推定統計情報を生成するステップの後に、前記第３推定統計情報が示す、前記携帯端末における通信試行単位のスループットの良否を判定する基準を示す判定基準情報を取得するステップと、前記判定基準情報に基づいて、前記第３推定統計情報が示す、前記携帯端末における通信試行単位のスループットの良否を判定するステップと、前記第３推定統計情報の良否の判定結果に応じて、前記第３推定統計情報の推定に用いられた前記第２推定統計情報が示す、前記基地局における通信試行単位のスループットの良否を判定するステップと、前記第２推定統計情報に関連付けて、通信品質の良否を示す通信品質判定基準を記憶部に記憶させるステップと、前記通信品質判定基準に基づいて、前記基地局と前記携帯端末との間の通信品質の良否を判定するステップと、をさらに備えてもよい。
【００１５】
上記の通信品質推定方法は、前記第３推定統計情報を生成するステップの後に、前記第３推定統計情報が示す、前記携帯端末における通信試行単位のスループットの良否を判定する基準を示す判定基準情報を取得するステップと、前記判定基準情報に基づいて、前記第３推定統計情報が示す、前記携帯端末における通信試行単位のスループットの良否を判定するステップと、前記第３推定統計情報の良否の判定結果に応じて、前記第３推定統計情報に対応する前記第２基地局統計情報及び前記第２基地局スループットのいずれかの良否を判定するステップと、前記第２基地局統計情報及び前記第２基地局スループットのいずれかに関連付けて、通信品質の良否を示す通信品質判定基準を記憶部に記憶させるステップと、前記通信品質判定基準に基づいて、前記基地局と前記携帯端末との間の通信品質の良否を判定するステップと、をさらに備えてもよい。
【００１６】
本発明の第２の態様に係る通信品質推定用プログラムは、コンピュータに、複数の携帯端末において測定された通信試行単位のスループットの統計値を含む端末統計情報を生成するステップと、複数の第１測定期間に前記基地局が前記複数の携帯端末から受信したデータの量と、前記複数の第１測定期間に前記データを送信した前記携帯端末の台数とに基づいて、携帯端末一台あたりのスループットである第１基地局スループットの統計値を含む第１基地局統計情報を生成するステップと、前記第１基地局統計情報と前記端末統計情報とに基づいて、前記複数の第１測定期間内の前記基地局における通信試行単位のスループットの統計値を含む第１推定統計情報を生成するステップと、を実行させる。
【００１７】
上記の通信品質推定用プログラムは、前記コンピュータに、前記第１推定統計情報を生成するステップの後に、複数の第２測定期間に前記基地局が前記複数の携帯端末から受信したデータの量と、前記複数の第２測定期間に前記データを送信した前記携帯端末の台数とに基づいて、携帯端末一台あたりのスループットである第２基地局スループットの統計値を含む第２基地局統計情報を生成するステップと、前記第２基地局統計情報と前記端末統計情報とに基づいて、前記複数の第２測定期間内の前記基地局における通信試行単位のスループットの統計値を含む第２推定統計情報を生成するステップと、前記第２推定統計情報と、前記端末統計情報と前記第１推定統計情報との差分を示す差分情報とに基づいて、前記複数の第２測定期間内の前記携帯端末における通信試行単位のスループットの統計値を含む第３推定統計情報を生成するステップと、前記第１推定統計情報、前記第２推定統計情報及び前記第３推定統計情報の少なくともいずれかに含まれる統計値を表示するステップと、をさらに実行させてもよい。
【００１８】
本発明の第３の態様に係る通信品質推定装置は、前記複数の携帯端末において測定された通信試行単位のスループットの統計値を含む端末統計情報を生成する第１生成部と、複数の第１測定期間に前記基地局が前記複数の携帯端末から受信したデータの量と、前記複数の第１測定期間に前記データを送信した前記携帯端末の台数とに基づいて、携帯端末一台あたりのスループットである第１基地局スループットの統計値を含む第１基地局統計情報を生成する第２生成部と、前記第１基地局統計情報と前記端末統計情報とに基づいて、前記複数の第１測定期間内の前記基地局における通信試行単位のスループットの統計値を含む第１推定統計情報を生成する第３生成部と、を備える。
【００１９】
上記の通信品質推定装置は、複数の第２測定期間に前記基地局が前記複数の携帯端末から受信したデータの量と、前記複数の第２測定期間に前記データを送信した前記携帯端末の台数とに基づいて、携帯端末一台あたりのスループットである第２基地局スループットの統計値を含む第２基地局統計情報を算出する第４生成部と、前記第２基地局統計情報と前記端末統計情報とに基づいて、前記複数の第２測定期間内の前記基地局における通信試行単位のスループットの統計値を含む第２推定統計情報を生成する第５生成部と、前記第２推定統計情報と、前記端末統計情報と前記第１推定統計情報との差分を示す差分情報とに基づいて、前記複数の第２測定期間内の前記携帯端末における通信試行単位のスループットの統計値を含む第３推定統計情報を生成する第６生成部と、をさらに備えてもよい。
【００２０】
本発明の第４の態様に係る無線通信システムは、基地局と、前記基地局と通信可能な複数の携帯端末と、前記基地局と前記複数の携帯端末との間の通信の品質を推定する通信品質推定装置を備える無線通信システムであって、前記複数の携帯端末において測定された通信試行単位のスループットの統計値を含む端末統計情報を生成する第１生成部と、複数の第１測定期間に前記基地局が前記複数の携帯端末から受信したデータの量と、前記複数の第１測定期間に前記データを送信した前記携帯端末の台数とに基づいて、携帯端末一台あたりのスループットである第１基地局スループットの統計値を含む第１基地局統計情報を生成する第２生成部と、前記第１基地局統計情報と前記端末統計情報とに基づいて、前記複数の第１測定期間内の前記基地局における通信試行単位のスループットの統計値を含む第１推定統計情報を生成する第３生成部と、前記端末統計情報及び前記第１推定統計情報を記憶する記憶部と、を備える。
【００２１】
上記の無線通信システムは、複数の第２測定期間に前記基地局が前記複数の携帯端末から受信したデータの量と、前記複数の第２測定期間に前記データを送信した前記携帯端末の台数とに基づいて、携帯端末一台あたりのスループットである第２基地局スループットの統計値を含む第２基地局統計情報を算出する第４生成部と、前記第２基地局統計情報と前記端末統計情報とに基づいて、前記複数の第２測定期間内の前記基地局における通信試行単位のスループットの統計値を含む第２推定統計情報を生成する第５生成部と、前記第２推定統計情報と、前記端末統計情報と前記第１推定統計情報との差分を示す差分情報とに基づいて、前記複数の第２測定期間内の前記携帯端末における通信試行単位のスループットの統計値を含む第３推定統計情報を生成する第６生成部と、をさらに備えてもよい。
【図面の簡単な説明】
【００２２】
【図１】本実施形態に係る無線通信システムの概要を示す。
【図２】本実施形態に係る通信品質推定装置の構成例を示す。
【図３】通信品質推定装置が通信品質を推定する動作のフローチャートを示す。
【図４】第１生成部が生成した複数のエリアにおけるユーザスループット情報の平均及び分散の関係を示す。
【図５】第１基地局スループットを対数正規分布で近似した場合の累積分布関数を示す。
【図６】複数の対数正規分布の累積分布関数を示す。
【図７】第３生成部が生成した一の対数正規分布を示す。
【図８】記憶部に記憶された端末統計情報及び第１推定統計情報と、基地局において測定された基地局スループットに基づいて推定された第１推定統計情報との関係を示す。
【図９】第３推定統計情報を生成する処理の概要を示す。
【図１０】推定された携帯端末における通信試行単位のスループットの分布を示す。
【図１１】通信品質の良否の判定に用いる第３推定統計情報の一例を示す。
【発明を実施するための形態】
【００２３】
［無線通信システムＳの概要］
図１は、本実施形態に係る無線通信システムＳの概要を示す。
無線通信システムＳは、携帯電話網の基地局１と、複数の携帯端末２（例えば携帯端末２−１及び携帯端末２−２）と、通信品質推定装置３とを備える。基地局１とそれぞれの携帯端末２との間は、無線通信回線により接続されている。通信品質推定装置３は、基地局１と携帯端末２との間の通信の通信品質を推定する。
【００２４】
基地局１と通信品質推定装置３との間は、ネットワークＮを介して通信可能に接続されている。ネットワークＮは、例えばインターネットである。複数の携帯端末２と通信品質推定装置３との間は、基地局１及びネットワークＮを介して通信可能に接続されている。なお、複数の携帯端末２は、Ｗｉ−Ｆｉアクセスポイント及びネットワークＮを介して通信品質推定装置３と通信可能に接続されていてもよい。
【００２５】
［携帯端末２におけるユーザスループットの測定］
通信品質推定装置３が通信品質を推定する動作を実行するのに先立って、それぞれの携帯端末２は、予めインストールされたスループット測定用プログラムを用いて、通信試行単位のスループットを測定する。ここで、「通信試行単位」は、携帯端末２が通信を開始してから通信を終了するまでの１回の動作を意味する。「スループット」は、単位時間あたりのデータ伝送量である。したがって、「通信試行単位のスループット」は、携帯端末２が通信を開始してから通信を終了するまでの１回の動作における、単位時間あたりのデータ伝送量を意味する。
【００２６】
なお、本明細書において、携帯端末２において測定された通信試行単位のスループットを、「ユーザスループット」と称することがある。ユーザスループットの大きさは、携帯端末２のユーザがＷｅｂページや動画コンテンツ等を取得する時に感じる快適性に影響する。
【００２７】
携帯端末２は、通信を開始してから通信を終了するまでの間に基地局１に送信したデータ量を測定し、送信したデータ量を通信時間で除することにより、ユーザスループットを測定する。携帯端末２は、ユーザスループットの実測値を含むユーザスループット情報と、通信を行った位置を示す位置情報とを関連付けて、通信品質推定装置３に送信する。携帯端末２は、所定の期間内に複数のユーザスループットを測定し、複数のユーザスループット情報を通信品質推定装置３に送信する。なお、携帯端末２によるユーザスループットの測定は、通信環境の変化に伴うユーザスループットの傾向の変化に対応できるように、例えば数ヶ月〜１年ごとに行われる。
【００２８】
［通信品質推定装置３の構成例］
図２は、本実施形態に係る通信品質推定装置３の構成例を示す。通信品質推定装置３は、例えばサーバである。通信品質推定装置３は、記憶部３１、通信部３２、表示部３３及び制御部３４を備える。
【００２９】
記憶部３１は、例えば、ＲＯＭ及びＲＡＭ等により構成される。記憶部３１は、携帯端末２を機能させるための各種プログラムを記憶する。記憶部３１は、外部メモリやＣＤ−ＲＯＭ等の記憶媒体に記憶されたプログラムを読み取って記憶してもよく、ネットワークＮを介して外部装置からダウンロードされたプログラムを記憶してもよい。
【００３０】
通信部３２は、制御部３４の制御により、ネットワークＮを介して基地局１又は携帯端末２と通信を行う。通信部３２は、例えば通信コントローラである。
表示部３３は、例えば、液晶ディスプレイや有機ＥＬ（Electro-Luminescence）ディスプレイ等により構成される。表示部３３は、制御部３４の制御に応じて文字や図形等を表示する。
【００３１】
制御部３４は、例えば、ＣＰＵにより構成される。制御部３４は、記憶部３１に記憶されている通信品質推定用プログラムを実行することにより、通信品質推定装置３に係る機能を統括的に制御する。具体的には、制御部３４は、通信品質推定用プログラムを実行することにより、第１生成部３４１、第２生成部３４２、第３生成部３４３、第４生成部３４４、第５生成部３４５、第６生成部３４６及び判定部３４７として機能する。
【００３２】
［通信品質を推定する動作の説明］
図３は、通信品質推定装置３が通信品質を推定する動作のフローチャートを示す。以下、図２及び図３を参照しながら、制御部３４の各部の動作について説明する。
【００３３】
まず、第１生成部３４１は、所定の大きさのエリアごとに、それぞれのエリアに含まれる位置を示している位置情報に関連付けて携帯端末２から取得した、複数のユーザスループット情報の統計値を含む端末統計情報を生成する（Ｓ１）。具体的には、まず、第１生成部３４１は、通信部３２を介して、携帯端末２におけるユーザスループットの実測値を含むユーザスループット情報と、それぞれの携帯端末２の位置を示す位置情報とを受信する。
【００３４】
次に、第１生成部３４１は、位置情報に対応する位置が属するエリアごとに、ユーザスループットの実測値の平均と分散とを算出する。第１生成部３４１は、ユーザスループットの分布を、例えば対数正規分布に近似して、端末統計情報として記憶部３１に記憶させる。また、第１生成部３４１は、複数のユーザスループット情報の平均と分散との関係に基づいて、平均と分散との関係を示す関係情報を生成する。
【００３５】
図４は、第１生成部３４１が生成した複数のエリアにおけるユーザスループット情報の平均と分散との関係を示す。図４に示されているそれぞれの点は、数十ｋｍ四方のエリアをメッシュ状に分割することにより予め定められた複数の５００ｍ四方のエリアのうちの、それぞれのエリアにおけるユーザスループット情報の平均及び分散を示している。平均Ｅ（Ｘ）及び分散Ｖ（Ｘ）が図４に示した例のように分布している場合、第１生成部３４１は、Ｖ（Ｘ）＝（１．０５×Ｅ（Ｘ）＋６０）２の関係式により表される関係情報を生成する。
【００３６】
続いて、第２生成部３４２が、複数の第１測定期間に基地局１が複数の携帯端末２から受信したデータの量と、複数の第１測定期間にデータを送信した携帯端末２の台数とに基づいて、携帯端末２の一台あたりのスループットである第１基地局スループットの統計値を含む第１基地局統計情報を生成する（Ｓ２）。具体的には、第２生成部３４２は、第１基地局統計情報を算出する対象となるエリア（例えば数十ｋｍ四方のエリア）に設置されている複数の基地局１のそれぞれが、第１測定期間として定められた時間（例えば５分間）に複数の携帯端末２から受信したデータの量を示す情報と、第１測定期間にそれぞれの基地局１が通信した携帯端末２の台数を示す情報とを取得する。次に、第２生成部３４２は、第１測定期間に通信した携帯端末２の台数で、計測したデータの量を除することにより、１台の携帯端末２あたりのデータ通信量を算出する。
【００３７】
続いて、第２生成部３４２は、算出したデータ通信量を通信時間（例えば５分×６０秒＝３００秒）で除することにより、１台の携帯端末２あたりの、１秒あたりのデータ通信量である第１基地局スループットを算出する。第２生成部３４２は、例えば２４時間にわたって５分ごとに測定されたデータ通信量に基づいて、１つの基地局１あたり２４時間×６０分÷５分＝２８８個の第１基地局スループットを示す情報を得ることができる。第２生成部３４２は、第１基地局統計情報を算出する対象となるエリアに設置されている基地局１の台数×２８８個の第１基地局スループットを示す情報を得る。
【００３８】
第２生成部３４２は、複数の第１基地局スループットの平均及び分散を算出することにより、第１基地局スループットの分布を示す第１基地局統計情報を生成する。第２生成部３４２は、第１基地局スループットを所定の統計分布で近似することにより、第１基地局統計情報を生成してもよい。例えば、第２生成部３４２は、第１基地局スループットを対数正規分布で近似して、第１基地局統計情報を生成する。
【００３９】
図５は、第１基地局スループットを対数正規分布で近似した場合の累積分布関数を示す。図５における横軸は、任意の基地局１において測定された第１基地局スループットの平均値を示し、縦軸は累積分布関数の値を示す。ここで、第１基地局スループットの平均値とは、任意の基地局１において、５分ごとに測定された複数の第１基地局スループットの平均値である。図５においては、第１基地局スループットの平均値が、約８００ｋｂｐｓ〜約１６００ｋｂｐｓの間に多く分布していることが示されている。
【００４０】
続いて、第３生成部３４３が、第１基地局統計情報と端末統計情報とに基づいて、複数の第１測定期間内の基地局１における通信試行単位のスループットの統計値を含む第１推定統計情報を推定する（Ｓ３）。具体的には、第３生成部３４３は、第２生成部３４２によって生成された第１基地局統計情報と、第１生成部３４１によって生成された関係情報とに基づいて第１推定統計情報を推定する。
【００４１】
より具体的には、まず、第３生成部３４３は、複数の第１基地局スループットの平均値と上記の関係情報とに基づいて、対数正規分布を用いて近似された複数の統計分布情報を生成する。例えば、第３生成部３４３は、第１基地局統計情報を構成する複数の第１基地局スループットの平均値のそれぞれの平均と分散との関係が、第１生成部３４１が生成した端末統計情報が示す平均と分散との関係に等しいと仮定して、複数の平均値のそれぞれの平均と分散との関係を算出し、複数の対数正規分布を求める。
【００４２】
第３生成部３４３は、第１生成部３４１が生成したＶ（Ｘ）＝（１．０５×Ｅ（Ｘ）＋６０）２の関係式におけるＥ（Ｘ）に、測定された第１基地局スループットの平均値を代入することにより、第１基地局スループットの平均値が代入した平均値になる場合の分散を算出する。第３生成部３４３は、例えば、Ｅ（Ｘ）に１０ｋｂｐｓを代入することにより、平均値が１０ｋｂｐｓと測定された第１基地局スループットの分散を算出する。第３生成部３４３は、平均値と分散とに基づいて、それぞれの平均値に対応する統計分布情報として、対数正規分布の累積分布関数を生成する。
【００４３】
図６は、平均値と分散とに基づいて第３生成部３４３が生成した複数の対数正規分布の累積分布関数を示す。平均値が小さければ小さいほど、累積分布関数の曲線が曲線ａに近づき、平均値が大きければ大きいほど、累積分布関数の曲線が曲線ｂに近づく。
【００４４】
続いて、第３生成部３４３は、複数の第１測定期間において、それぞれの平均値が発生した確率に基づいて複数の統計分布情報のそれぞれを重み付けすることで、複数の重み付け統計情報を生成する。さらに、第３生成部３４３は、複数の重み付け統計情報のそれぞれを加算することで、第１推定統計情報を生成する。例えば、第１基地局スループットの平均値の累積分布関数が図５に示されるものである場合、平均値が１０００ｋｂｐｓ〜１５００ｋｂｐｓになる確率は、平均値が他の値になる確率よりも高い。そこで、第３生成部３４３は、平均値が１０００ｋｂｐｓ〜１５００ｋｂｐｓである場合の対数正規分布の重み付けを、平均値が他の値である場合の対数正規分布の重み付けよりも大きくする。
【００４５】
続いて、第３生成部３４３は、重み付けした複数の対数正規分布を加算することにより、基地局１における通信試行単位のスループットの第１推定統計情報である、一の対数正規分布を生成する。第３生成部３４３は、生成した第１推定統計情報を、記憶部３１に記憶させる（Ｓ４）。
【００４６】
図７は、第３生成部３４３が生成した一の対数正規分布を示す。図７における曲線ｃが、第１推定統計情報に対応する対数正規分布である。曲線ｃに示される対数正規分布は、曲線ａに示される対数正規分布と曲線ｂに示される対数正規分布との間に位置していることがわかる。
【００４７】
図８は、第１基地局統計情報と、第１推定統計情報と、端末統計情報との関係を示す。図８における１点鎖線は、基地局１において測定された第１基地局スループットに対応する第１基地局統計情報の累積分布関数を示している。図８における実線は、基地局１における通信試行単位のスループットに対応する第１推定統計情報の累積分布関数を示している。図８における破線は、携帯端末２において測定されたユーザスループットに対応する端末統計情報の累積分布関数を示している。
【００４８】
図８から、第１推定統計情報に含まれる統計値と端末統計情報に含まれる統計値との間には差分があることがわかる。端末統計情報に含まれる統計値とは、携帯端末２において測定された通信試行単位のスループットの平均、分散又は標準偏差である。第１推定統計情報に含まれる統計値とは、第３生成部３４３が推定して生成した、基地局１における通信試行単位のスループットの平均、分散又は標準偏差である。
【００４９】
例えば、累積分布関数の値が５０％の場合、端末統計情報が示しているユーザスループットは、第１推定統計情報が示している基地局１における通信試行単位のスループットの約６０％の大きさである。すなわち、端末統計情報に含まれる統計値と第１推定統計情報に含まれる統計値との間には、差分ｄが存在している。所定の条件下で測定されたユーザスループットに基づいて生成された端末統計情報と、同じ条件下で測定された第１基地局スループットに基づいて生成された第１推定統計情報との関係は、測定される時間帯等の条件が変化してもほぼ同一であると考えられる。
【００５０】
そこで、記憶部３１に記憶された端末統計情報の統計値と第１推定統計情報の統計値との関係を示す情報を用いることにより、複数の第２測定期間内に基地局１において測定された第２基地局スループットに基づいて、当該第２基地局スループットが測定された期間におけるユーザスループットを推定することができる。具体的には、制御部３４は、Ｓ５〜Ｓ７の処理を実行することによって、携帯端末２において測定されたユーザスループットの情報を取得することなく、第１推定統計情報に対応する対数正規分布の平均が任意の値の場合のユーザスループットを推定する。
【００５１】
以下、ユーザスループットを推定する処理について説明する。
第４生成部３４４は、第１基地局統計情報の算出に用いられた複数の基地局１のうちの任意の基地局１が、複数の第２測定期間に複数の携帯端末２から受信したデータの量と、複数の第２測定期間にデータを送信した携帯端末２の台数とに基づいて、当該基地局１における携帯端末２の１台あたりのスループットである第２基地局スループットの統計値を含む第２基地局統計情報を生成する（Ｓ５）。複数の第２測定期間は、第２生成部３４２が第１基地局統計情報を生成する処理（Ｓ２）において用いられた、携帯端末２から基地局１に送信されたデータの量が測定された複数の第１測定期間よりも、後の期間である。第４生成部３４４は、Ｓ２において第２生成部３４２が第１基地局統計情報を生成する処理と同等の手順で、第２基地局統計情報を生成する。
【００５２】
続いて、第５生成部３４５は、第２基地局統計情報と端末統計情報とに基づいて、複数の第２測定期間内の基地局１における通信試行単位のスループットの統計値を含む第２推定統計情報を生成する（Ｓ６）。第５生成部３４５が第２推定統計情報を生成する処理は、Ｓ３において第３生成部３４３が第１推定統計情報を生成する処理と同等の処理である。
【００５３】
続いて、第６生成部３４６は、第２推定統計情報と、第１推定統計情報に含まれる統計値と端末統計情報に含まれる統計値との間の差分を示す差分情報とに基づいて、複数の第２測定期間内の携帯端末２における通信試行単位のスループットの統計値を含む第３推定統計情報を生成する（Ｓ７）。
【００５４】
図９は、第６生成部３４６が第３推定統計情報を生成する処理の概要を示す。図９における実線は、記憶部３１に記憶されている第１推定統計情報に対応する対数正規分布を示す。破線は、記憶部３１に記憶されている端末統計情報に対応する対数正規分布を示す。１点鎖線は、第２推定統計情報に対応する対数正規分布を示す。
【００５５】
第６生成部３４６は、差分情報として、例えば、第１推定統計情報に含まれる通信試行単位のスループットの最頻値に対する、端末統計情報に含まれる通信試行単位のスループットの最頻値の減少率Ｘを算出し、第２推定統計情報に含まれる通信試行単位のスループットの最頻値に対する第３推定統計情報に含まれる通信試行単位のスループットの最頻値の減少率Ｙが減少率Ｘに等しいと仮定して、図９の２点鎖線が示す第３推定統計情報に対応する対数正規分布を生成する。以下、第６生成部３４６が第３推定統計情報を生成する手順について説明する。
【００５６】
まず、第６生成部３４６は、第１推定統計情報に含まれる通信試行単位のスループットの最頻値又は平均値に対する、端末統計情報に含まれる通信試行単位のスループットの最頻値又は平均値の減少率を算出する。次に、第６生成部３４６は、算出した減少率に基づいて、携帯端末２における通信試行単位のスループットの最頻値又は平均値を算出する。具体的には、第６生成部３４６は、最頻値の減少率を、１−（端末統計情報の最頻値／第１推定統計情報の最頻値）によって算出する。第６生成部３４６は、平均値の減少率を、１−（端末統計情報の平均値／第１推定統計情報の平均値）によって算出してもよい。
【００５７】
また、第６生成部３４６は、携帯端末２における通信試行単位のスループットの最頻値を、第２推定統計情報の最頻値×（１−最頻値の減少率）によって算出する。第６生成部３４６は、携帯端末２における通信試行単位のスループットの平均値を、第２推定統計情報の平均値×（１−平均値の減少率）によって算出してもよい。
【００５８】
続いて、第６生成部３４６は、第１推定統計情報に含まれる通信試行単位のスループットの分散又は標準偏差に対する、端末統計情報に含まれる通信試行単位のスループットの分散又は標準偏差の減少率を算出する。次に、第６生成部３４６は、算出した減少率に基づいて、携帯端末２における通信試行単位のスループットの分散又は標準偏差を算出する。具体的には、第６生成部３４６は、標準偏差の減少率を、１−（端末統計情報の標準偏差／第１推定統計情報の標準偏差）によって算出する。第６生成部３４６は、分散の減少率を、１−（端末統計情報の分散／第１推定統計情報の分散）によって算出してもよい。続いて、第６生成部３４６は、携帯端末２における通信試行単位のスループットの分散を、｛第２推定統計情報の標準偏差×（１−標準偏差の減少率）｝２によって算出する。
【００５９】
以上の手順により、第６生成部３４６は、携帯端末２における通信試行単位のスループットの最頻値及び分散の推定値を算出することで、携帯端末２における通信試行単位のスループットの分布を推定することができる。
【００６０】
図１０は、以上の手順により推定された携帯端末２における通信試行単位のスループットの分布を示す。図９と同様に、実線は、記憶部３１に記憶されている第１推定統計情報に対応する対数正規分布を示す。破線は、記憶部３１に記憶されている端末統計情報に対応する対数正規分布を示す。１点鎖線は、第２推定統計情報に対応する対数正規分布を示す。２点鎖線は、第３推定統計情報に対応する対数正規分布を示す。
【００６１】
図１０から、基地局１における通信試行単位のスループットに対応する第２推定統計情報とユーザスループットに対応する第３推定統計情報との関係は、基地局１における通信試行単位のスループットに対応する第１推定統計情報とユーザスループットに対応する端末統計情報との関係にほぼ等しいことがわかる。制御部３４は、第１推定統計情報、第２推定統計情報及び第３推定統計情報の少なくともいずれかに含まれる統計値を表示部３３に表示させてもよい。
【００６２】
［通信品質の良否を判定する］
通信品質推定装置３は、第６生成部３４６が生成した第３推定統計情報に基づいて、携帯端末２と基地局１との間の通信品質の良否を判定することができる。
判定部３４７は、第６生成部３４６が生成した第３推定統計情報が示す、携帯端末２における通信試行単位のスループットの良否を判定する基準を示す判定基準情報を取得する。例えば、判定基準情報は、携帯端末２における通信試行単位のスループットの６０％以上が３００ｋｂｐｓ以上の場合に「通信品質が良好」と判定し、当該スループットの６０％未満が３００ｋｂｐｓ以上の場合に「通信品質が不良」と判定するための情報であり、記憶部３１に記憶されている。
【００６３】
次に、判定部３４７は、第３推定統計情報の良否の判定結果に応じて、それぞれの第３推定統計情報の生成に用いられた第２推定統計情報が示す、基地局１における通信試行単位のスループットの良否を判定する。判定部３４７は、第２基地局統計情報（単位時間平均値）が、「通信品質が良好」と判定されるユーザスループットに対応する第２推定統計情報の平均値よりも大きい場合、基地局１における通信試行単位のスループットに基づいて「通信品質が良好」と判定する。判定部３４７は、例えば、ユーザスループットの６０％以上が３００ｋｂｐｓである場合の第２推定統計情報の平均値が８００ｋｂｐｓである場合、第２基地局統計情報（単位時間平均値）が８００ｋｂｐｓ以上の場合に「通信品質が良好」と判定する。
【００６４】
判定部３４７は、第２推定統計情報に関連付けて、通信品質の良否を示す通信品質判定基準を記憶部３１に記憶させる。具体的には、判定部３４７は、基地局１における通信試行単位のスループットの統計値又は統計分布の形状に関連付けて、通信品質の良否を記憶部３１に記憶させる。このようにすることで、判定部３４７は、第５生成部３４５により生成された第２推定統計情報と通信判定基準情報とに基づいて、携帯端末２と基地局１との間の通信品質の良否を判定する。したがって、判定部３４７は、携帯端末２において測定されたスループットを用いることなく、基地局１における通信試行単位のスループットに基づいて、通信品質の良否を判定することができる。その結果、制御部３４は、判定部３４７が、通信品質が不良であると判定した場合に、その旨を基地局１に通知したり表示部３３に表示させたりすることにより、基地局１が使用する無線通信回線を変更するなどの措置を講じることが可能になる。
【００６５】
なお、判定部３４７は、第３推定統計情報の良否の判定結果に応じて、それぞれの第３推定統計情報に対応する第２基地局統計情報が示す、第２基地局スループットの良否を判定してもよい。また、判定部３４７は、第２基地局統計情報及び第２基地局スループットのいずれかに関連付けて、通信品質の良否を示す通信品質判定基準を記憶部３１に記憶させ、第２基地局統計情報及び第２基地局スループットのいずれかと通信品質判定基準情報とに基づいて、携帯端末２と基地局１との間の通信品質の良否を判定してもよい。このようにすることで、通信品質推定装置３は、基地局１において測定された携帯端末２の１台あたりのスループットである第２基地局スループットに基づいて、通信品質の良否を判定することができる。
【００６６】
図１１は、通信品質の良否の判定に用いる第３推定統計情報の一例を示す。図１１における実線、１点鎖線、２点鎖線は、それぞれ異なる第３推定統計情報の累積分布関数を示している。ここで、実線の第３推定情報に対応する第２推定統計情報の平均値は８００ｋｂｐｓ、１点鎖線の第３推定情報に対応する第２推定統計情報の平均値は６００ｋｂｐｓ、２点鎖線の第３推定情報に対応する第２推定統計情報の平均値は４００ｋｂｐｓであるとする。
【００６７】
ここで、第３推定統計情報に基づいて通信品質の良否を判定するための基準が「ユーザスループットの６０％以上が３００ｋｂｐｓ以上」である場合、スループットが３００ｋｂｐｓの場合の累積分布関数の値が０．４未満の場合に「通信品質が良好」と判定され、スループットが３００ｋｂｐｓの場合の累積分布関数の値が０．４以上の場合に「通信品質が不良」と判定される。したがって、図１１に示した第３推定統計情報のうち、実線で示した第３推定統計情報のみが「良好」と判定される。
【００６８】
また、実線で示した第３推定統計情報に対応する第２推定統計情報の平均値が８００ｋｂｐｓである場合、第２基地局統計情報に基づいて通信品質の良否を判定するための基準は「第２基地局スループットの単位時間の平均値が８００ｋｂｐｓ以上」となる。判定部３４７は、例えば５分毎に通信品質の良否を判定する場合、第２基地局スループットが８００ｋｂｐｓ以上であるか否かに基づいて、通信品質の良否を判定する。判定部３４７は、例えば１時間毎に通信品質の良否を判定する場合、第２基地局スループットの１時間の平均値が８００ｋｂｐｓ以上であるか否かに基づいて、通信品質の良否を判定する。
【００６９】
［本実施形態における効果］
本実施形態に係る通信品質推定装置３は、複数の携帯端末２において測定された通信試行単位のスループットの統計値を含む端末統計情報を生成し、携帯端末２の１台あたりのスループットである第１基地局スループットの統計値を含む第１基地局統計情報を生成し、第１基地局統計情報と端末統計情報とに基づいて、基地局１における通信試行単位のスループットの統計値を含む第１推定統計情報を生成する。このようにすることで、基地局１において、通信試行ごとにスループットを実測することなく、通信試行単位のスループットを推定することができる。その結果、無線チャネルを過剰に使用したり基地局に過大な負荷をかけたりすることなく、携帯端末と基地局との間の通信の品質を推定することができるという効果を奏する。
【００７０】
また、通信品質推定装置３は、位置情報に対応する位置が属するエリアごとに、実測値の平均と分散とを算出して、平均と分散との関係を示す関係情報を生成し、第１基地局統計情報と関係情報に基づいて第１推定統計情報を生成する。このようにすることで、通信品質推定装置３は、携帯端末２の位置によるユーザスループットのばらつきを考慮して、通信試行単位のスループットを推定することができる。
【００７１】
また、通信品質推定装置３は、第１基地局スループットの平均値と上記の関係情報とに基づいて、複数の統計分布情報を生成し、平均値が発生した確率に基づいて複数の統計分布情報のそれぞれを重み付けすることで第１推定統計情報を生成する。このようにすることで、通信品質推定装置３は、通信試行単位のスループットの推定精度を向上することができる。
【００７２】
また、通信品質推定装置３は、第１推定統計情報の生成に用いられた第１基地局スループットが測定された期間と異なる期間に基地局１で測定された第２基地局スループットに基づいて推定された第２推定統計情報と、端末統計情報に含まれる統計値と第１推定統計情報に含まれる統計値との差分を示す差分情報とに基づいて、携帯端末２における通信試行単位のスループットの統計値を含む第３推定統計情報を生成する。このようにすることで、携帯端末２においてスループットを実測することなく、携帯端末２におけるスループットを推定することができる。
【００７３】
また、通信品質推定装置３は、第２推定統計情報に関連付けて、通信品質の良否を示す通信品質判定基準を記憶部に記憶させ、当該通信品質判定基準に基づいて、基地局１と携帯端末２との間の通信品質の良否を判定する。したがって、通信品質推定装置３は、携帯端末２におけるスループットを実測することなく、基地局１における第２基地局スループットを測定することによって、通信品質の良否を判定することができる。そして、通信品質推定装置３は、通信品質が不良であると判定した場合に、その旨を基地局１に通知したり表示部３３に表示させたりすることにより、基地局１が使用する無線通信回線を変更するなどの措置を講じることが可能になるので、基地局１の運営者は、通信品質の向上を図ることができる。
【００７４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【符号の説明】
【００７５】
１・・・基地局、２・・・携帯端末、３・・・通信品質推定装置、３１・・・記憶部、３２・・・通信部、３３・・・表示部、３４・・・制御部
【図１】
2014195191.tif 000003
【図２】
2014195191.tif 000004
【図３】
2014195191.tif 000005
【図４】
2014195191.tif 000006
【図５】
2014195191.tif 000007
【図６】
2014195191.tif 000008
【図７】
2014195191.tif 000009
【図８】
2014195191.tif 000010
【図９】
2014195191.tif 000011
【図１０】
2014195191.tif 000012
【図１１】
2014195191.tif 000013